(57)【要約】  本開示は、第１の展開された構成及び第２の折り畳まれた構成を含むワイヤレスヘッドセットなどの装置に関する。該装置が折り畳まれた場合に、該装置がポータブルラップトップ型コンピュータ又は携帯電話などのホスト装置内に格納され、且つ充電されることができる。
2010503343.tif 000002
【特許請求の範囲】
【請求項１】
ハウジングと、
マイクロフォンと、
送受信機と、
前記ハウジングに可動に固定されたイヤホンを通じて直接音を出すスピーカーであって、前記イヤホンの少なくとも１部が使用者の耳内に適合するように構成されるスピーカーと、
を備えるワイヤレス装置において、
前記ワイヤレス装置は、物理的なエンベロープを有し、展開された構成における前記イヤホンは、少なくとも１つの方向で前記物理的なエンベロープを展開することが可能であることを特徴とするワイヤレス装置。
【請求項２】
前記イヤホンは、前記ハウジングから離隔して回転するように構成されていることを特徴とする請求項１に記載のワイヤレス装置。
【請求項３】
前記イヤホンは、前記ハウジングに対して回転するように構成されていることを特徴とする請求項１に記載のワイヤレス装置。
【請求項４】
前記イヤホンは、第１の形状を有し、可撓性を有する材料からなり、第２の形状に従うことが可能であることを特徴とする請求項１に記載のワイヤレス装置。
【請求項５】
前記イヤホンの前記一部が使用者の耳内に配置した状態で展開するように構成されることを特徴とする請求項１に記載のワイヤレス装置。
【請求項６】
前記イヤホンが前記使用者の耳内に前記ワイヤレス装置を保持することが可能である請求項１に記載のワイヤレス装置。
【請求項７】
前記ワイヤレス装置を保持するためのクレードルをさらに備えていることを特徴とする請求項１に記載のワイヤレス装置。
【請求項８】
前記クレードルは、前記ワイヤレス装置を充電することが可能であることを特徴とする請求項７に記載のワイヤレス装置。
【請求項９】
前記クレードルは、マグネットを含み、
前記マグネットは、磁気によって前記ワイヤレス装置を前記クレードルに固定することを可能にし、
前記クレードルは背面を有し、
前記クレードルは、前記背面に配置された接着剤をさらに備えていることを特徴とする請求項７に記載のワイヤレス装置。
【請求項１０】
ハウジングと、
前記ハウジングと電気的に連通するスピーカーと、
を備えるワイヤレス装置において、
前記ワイヤレス装置がホスト装置内に挿入されることが可能であることを特徴とするワイヤレス装置。
【請求項１１】
ワイヤレス装置を格納し、且つ充電するためのシステムであって、
ハウジングと、マイクロフォンと、送受信機と、前記ハウジングに可動に固定されたイヤホンを通じて直接音を出すスピーカーであって、前記イヤホンの少なくとも１部が使用者の耳内に適合するように構成されるスピーカーと、を含むワイヤレス装置において、前記ワイヤレス装置は、物理的なエンベロープを有し、展開された構成における前記イヤホンは、少なくとも１つの方向で前記物理的なエンベロープを展開することが可能であるワイヤレス装置、及び
前記ワイヤレス装置に電力を供給することが可能である電力供給部を備えていることを特徴とするシステム。
【請求項１２】
前記ワイヤレス装置を保持することが可能であるクレードルをさらに備え、
前記クレードルは、前記電力供給部から電力を受容するように構成され、且つ前記ワイヤレス装置の前記第１の電気的な接触部を係合するための第２の電気的な接触部を含むことを特徴とする請求項１１に記載のシステム。
【請求項１３】
クリップをさらに備えることを特徴とする請求項１２に記載のシステム。
【請求項１４】
前記クレードルは、ホスト装置内に挿入されることが可能であるカードの特徴を示すことを特徴とする請求項１２に記載のシステム。
【請求項１５】
前記形状要因がエクスプレスカードであることを特徴とする請求項１４に記載のシステム。
【請求項１６】
前記形状要因がＰＣＭＣＩＡカードであることを特徴とする請求項１４に記載のシステム。
【請求項１７】
前記電力供給部を設けているホスト装置をさらに備えることを特徴とする請求項１１に記載のシステム。
【請求項１８】
前記ホスト装置は、前記ホスト装置に画定された凹部を含み、該凹部が前記ワイヤレス装置を保持することが可能であり、且つ前記第１の電気的な接続部を係合することが可能であることを特徴とする請求項１７に記載のシステム。
【請求項１９】
前記システムは、クレードルをさらに備え、
前記クレードルが前記クレードルに凹部を画定し、
前記ワイヤレス装置を保持することが可能であり
前記第２の電気的な接触部を含み、
前記クレードルは、前記ホスト装置に取り外し可能に固着され
前記ホスト装置から電力を受容し、前記第１の電気的な接触部及び前記電気的な接触部を通じて前記ワイヤレス装置に電力を提供することを特徴とする請求項１７に記載のシステム。
【請求項２０】
前記システムは、ケースをさらに備え、
前記ケースは、前記ワイヤレス装置のための前記ケース内に画定された凹部を有し、
前記ケースは、前記電力供給部を含むことを特徴とする請求項１１に記載のシステム。
【請求項２１】
ワイヤレス装置を格納し、且つ充電するためのシステムであって、
ハウジングと、マイクロフォンと、送受信機と、前記ハウジングに可動に固定されたイヤホンを通じて直接音を出すスピーカーであって、前記イヤホンの少なくとも１部が使用者の耳内に適合するように構成されるスピーカーと、を備えるワイヤレス装置において、前記ワイヤレス装置は、物理的なエンベロープを有し、展開された構成における前記イヤホンは、少なくとも１つの方向で前記物理的なエンベロープを展開することが可能である前記ワイヤレス装置を備えたシステムにおいて、
前記ワイヤレス装置がホスト装置内に挿入されることが可能であるカードの特徴を示すことを特徴とするシステム。
【請求項２２】
前記形状要因がエクスプレスカードであることを特徴とする請求項２１に記載のシステム。
【請求項２３】
前記形状要因がＰＣＭＣＩＡカードであることを特徴とする請求項２１に記載のシステム。
【請求項２４】
ホスト装置をさらに備えることを特徴とする請求項２１に記載のシステム。
【請求項２５】
第１の形状を有し、可撓性を有する材料からなり、第２の形状に従うことが可能であり、使用者の耳内に配置された状態で少なくとも１つの方向に展開することを特徴とするイヤホン。
【発明の詳細な説明】
【技術分野】
【０００１】
［関連出願の相互参照］
本発明は、２００６年９月６日付けで提出された米国仮出願第６０／８２４，７３０号の利益を主張し、その開示が参照により、本明細書に組み込まれる。
【０００２】
本発明は、展開時などの第１の構成では、モノラルのワイヤレスヘッドセット又はステレオのワイヤレスヘッドセットになり、折り畳まれた場合などの第２の構成では、ラップトップ型コンピュータ又は携帯電話などのホスト装置内に格納され、且つ充電される装置に関する。
【背景技術】
【０００３】
携帯型コンピュータ市場は、成長し続けており、これからデスクトップ型パーソナルコンピュータ市場を追い越す。人々は、それらの家庭にあるコンピュータまたはオフィスにあるコンピュータの能力及び利便性を再現するコンピュータの移動性を望んでいる。移動性の負担の一つは、携帯型コンピュータを達成する配線及び周辺機器の管理である。多くの場合において、周辺機器は、デスクトップ型マシーンに存在する機能を置き換えるように、携帯型コンピュータに追加される。接続の複雑さを減少するために、ワイヤレス技術は、携帯型コンピュータに一体化される。ブルートゥース無線は、標準になり、多くのラップトップ型コンピュータは今日、利用可能である。さらに、多くの装置は、交流供給接続部からの周辺装置に電力を供給する必要性を軽減するように、または再充電可能なバッテリーの供給を維持するように、組み込まれた再充電可能なバッテリーを有する。
【０００４】
スカイプ（登録商標）及びボネージ（Vonage）（登録商標）などのＶＯＩＰ技術（ボイス・オーバー・テクノロジー・プロトコル）は、第一に費用及び移動性の理由のために電話通信の選択になる。ＶＯＩＰは、実質的に任意のインターネットに接続された携帯型コンピュータで操作されることができる。音声入力及び音声出力は、マイクロフォン及びスピーカーを必要とする。携帯型コンピュータに組み込まれたスピーカー及びマイクロフォンを使用することは、アクセサリーとして有線又は無線の携帯型ヘッドセットを実装することが共通であるように、使用者に少しのプライバシーを提案していない。さらに、ラップトップ型コンピュータ又は携帯電話の使用者にとって、通話中にプライバシーを得るために暗号化された他の装置、又はワイヤレスヘッドセットでさえ、運搬することは、不便である。ヘッドセット及び他の周辺機器のトラックを維持すること及びそれらを充電し続けること、及び使用する準備をし続けることは、負担になる。（再充電可能なバッテリーとともに）ワイヤレスヘッドセットを操作する多くのバッテリーは、格納するための他の物、運搬するための他の物、及び追跡するための他の物をさらに追加する充電するために、ヘッドセットをラップトップ型コンピュータまたは壁掛け型コンピュータに接続する配線を必要とする。
【０００５】
ほとんどの携帯型コンピュータ及びハンドヘルド型コンピュータは、エクスプレスカード（登録商標）スロット又はＰＣカードスロットなどの内臓拡張スロットを有する。スロットは、第３開発業者が取り換え可能なアクセサリー装置を生み出すことが可能である標準形状及び標準プロトコルに一致する。拡張カードは、使用者が装置のメモリを増加する、または通信インターフェースの異なる種類を追加することを可能にする。ＵＳＢインターフェースの人気における上昇及びそのインターフェースへのアクセサリー市場のその後の移行のために、ほとんどのＰＣカードスロットは、ラップトップ型コンピュータにおいて空になっている。多くのスロットは、データを交換するために高速のコミュニケーションバスと同様に、操作されたバッテリーを充電するために使用されることができる電力を有する。
【発明の概要】
【発明が解決しようとする課題】
【０００６】
本開示の態様は、ワイヤレス装置に関する。ワイヤレス装置は、はウンジング、マイクロフォン、送受信機、及び前記ハウジングに可動に固定されたイヤホンを通じて直接音を出すスピーカーであって、前記イヤホンの少なくとも１部が使用者の耳内に適合するように構成されるスピーカーと、を含むことができる。さらに、ワイヤレス装置は、長さ、幅、及び厚さによって画定される物理的なエンベロープを有し、展開された構成における前記イヤホンは、少なくとも１つの方向における前記物理的なエンベロープを展開することが可能である。本開示の他の態様において、ワイヤレス装置は、ホスト装置内に挿入されることが可能であるカードの形状要因を呈することができる。本開示のさらなる態様は、ワイヤレス装置を格納し、充電するためのシステムに関する。システムは、ワイヤレス装置と、該ワイヤレス装置に電力を供給することが可能である電力供給部と、を含むことができる。さらなる態様において、本開示は、ホスト装置内に挿入されることが可能であるカードの形状要因を示すことができる、ワイヤレス装置を格納し、充電するためのシステムに関する。本開示の他の態様は、可撓性を有する材料を含み、第１の形状を有するイヤホンに関する。イヤホンは、第２の形状に従うことが可能であり、使用者の耳内に配置された状態で少なくとも１つの方向に展開することを可能にすることができる。
【０００７】
以下の詳細な説明は、図示の目的で提供され、本発明の任意の態様を限定するように考慮されない、添付された図面を参照してより良く理解されることができる。
【図面の簡単な説明】
【０００８】
【図１】ホスト装置と通信する、本明細書で熟考されたワイヤレス装置の概略図である。
【図２ａ】本明細書で熟考されたワイヤレス装置の斜視図である。
【図２ｂ】図２ａのワイヤレス装置の底面図である。
【図２ｃ】図２ａのワイヤレス装置の正面図である。
【図２ｄ】図２ａのワイヤレス装置の平面図である。
【図２ｅ】図２ａのワイヤレス装置の側面図である。
【図２ｆ】図２ａのワイヤレス装置の側面図である。
【図３ａ】相対的に平坦に折り畳まれた構成で、本明細書で熟考されたワイヤレス装置の斜視図である。
【図３ｂ】展開された構成で図３ａのワイヤレス装置の斜視図である。
【図４ａ】本明細書で熟考されたワイヤレス装置の斜視図である。
【図４ｂ】イヤホンがアームによって画定された軸Ｂ−Ｂの周りで回転される、図４ａのワイヤレス装置の斜視図である。
【図５ａ】ワイヤレス装置のハウジングの厚さより厚い卵形状のイヤホンを有する、本明細書で熟考されたワイヤレス装置の側面図である。
【図５ｂ】ワイヤレス装置のハウジングの厚さと同じくらいの厚さである、又はより薄いイヤホンを有する、本明細書で熟考されたワイヤレス装置の側面図である。
【図６ａ】イヤホンが第１の構成であり、且つ圧縮されない、イヤホンの側面図を図示する本明細書で熟考されたワイヤレス装置の側面図である。
【図６ｂ】イヤホンの背面図を図示する、図６ａのワイヤレス装置の背面図である。
【図６ｃ】イヤホンが、外耳道内に挿入される場合に見られるような第２の構成であり、イヤホンの側面図を図示する、図６ａのワイヤレス装置の側面図である。
【図６ｄ】イヤホンが第２の構成であり、イヤホンの背面図を図示する、図６ｃのワイヤレス装置の背面図である。
【図７ａ】第１の折り畳まれた状態で、本明細書で熟考されたワイヤレス装置の斜視図である。
【図７ｂ】第２の展開された状態で、図７ｂのワイヤレス装置の斜視図である。
【図８】取り外し可能なカバー及びショルダーキャップを図示する、本明細書で熟考されたワイヤレス装置の分解図である。
【図９ａ】ワイヤレス装置に接続されるような、電力供給及び供給アダプタを有する、本明細書で熟考されたワイヤレス装置の斜視図である。
【図９ｂ】図９ａのワイヤレス装置、アダプタ、及び電力供給の分解図である。
【図１０ａ】本明細書で熟考されたワイヤレス装置を保持するクレードルの斜視図である。
【図１０ｂ】図１０ａのクレードルの背面図である。
【図１０ｃ】それに保持されたワイヤレス装置を含んでいる、図１０ａのクレードルの斜視図である。
【図１１ａ】本明細書で熟考されたワイヤレス装置を保持するためのクリップを含んでいるクレードルの斜視図である。
【図１１ｂ】それに保持されたワイヤレス装置を含んでいる図１１ａｎｏクレードルの斜視図である。
【図１２ａ】ワイヤレス装置と、スロットの形状要因を有する前記ワイヤレス装置を保持するためのカレードルとの分解図である。
【図１２ｂ】ホスト装置内のスロット内に位置付けられた、カード内に配置されたワイヤレス装置の概略図である。
【図１３ａ】エクスプレスカードスロットのためのエクスプレスカードの形状要因を有するワイヤレス装置を保持するためのクレードルの斜視図である。
【図１３ｂ】クレードル内に保持されたワイヤレス装置を含む図１３ａのクレードルの斜視図である。
【図１４ａ】ＰＣＭＣＩＡスロットのためのＰＣＭＣＩＡカードの形状要因を有するワイヤレス装置を保持するためのクレードルの斜視図である。
【図１４ｂ】クレードル内に保持されたワイヤレス装置を含む図１４ａのクレードルの斜視図である。
【図１５ａ】折り畳まれた構成でここで熟考されるワイヤレス装置の斜視図である。
【図１５ｂ】展開された構成で図１５ａのワイヤレス装置の斜視図である。
【図１６ａ】折り畳まれた構成でここで熟考されるワイヤレス装置の斜視図である。
【図１６ｂ】展開された構成で、図１６ａのワイヤレス装置の斜視図である。
【図１７ａ】ワイヤレス装置を保持するためにホスト装置に画定される凹所を含むホスト装置の斜視図である。
【図１７ｂ】クレードル内に保持されたワイヤレス装置を有するクレードルを含むホスト装置の斜視図である。
【図１７ｃ】ホスト装置、クレードル、ワイヤレス装置に電力及び／又はデータを伝送するためのクレードル及びホスト装置内で電気的接触部と有する図１７ｂのワイヤレス装置の分解図である。
【図１８ａ】閉鎖された構成で、ワイヤレス装置を保持するためのケースの斜視図である。
【図１８ｂ】ケース内に保持されたワイヤレス装置を保持する図１８ａのケースの斜視図である。
【図１９ａ】折り畳まれた構成で、ここで熟考されたワイヤレス装置の斜視図である。
【図１９ｂ】展開された構成で、図１９ａのワイヤレス装置の斜視図である。
【発明を実施するための形態】
【０００９】
本発明は、展開された場合などの第一の構成において、モノラル又はステレオのワイヤレスヘッドセットになり、折り畳まれた場合などの第２の構成において、格納され、充電され得る装置に関する。例示的な実施形態において、装置は、展開された場合に、耳に適する、又は耳に渡って適するイヤホンを有することができる。折り畳まれた場合に、イヤホンは、例えば、５ｍｍ程度の製品厚さを生み出すヘッドセットのハウジングとともに位置させることができる。相対的に薄い形状は、ヘッドセットが、携帯型クレードル内で、又はミニＵＳＢチャージャーとともに格納され、充電されることを可能にする。携帯型クレードルは、ホルダー、ケース、又はカードであることができ、例えば、ＰＣＭＣＩＡ、エクスプレスカード５４、及びエクスプレスカード３４を含んでいる任意の拡張スロット基準に一致する標準的な角柱スロットの内側に適合されることができる。さらに、独自のスロット又はキャビティは、ラップトップ型コンピュータ又は携帯電話、又はワイヤレスヘッドセットなどを収容するためにスピーカー及びマイクロフォンを利用することができる任意の他の通信装置に設計されることができる。ヘッドセットの全体寸法及び形状は、標準的な拡張スロットの形状要因内に収容する、又は適合するように設計されることができる。例えば、装置自体は、格納目的のために折り畳まれる場合に、２４ｍｍ×６０ｍｍ×５ｍｍである。３４ｍｍ×７５ｍｍ×５ｍｍのヘッドセットクレードルは、設けられ、該ヘッドセットクレードルは、標準的なエクスプレスカード３４のカードを収容することができ、該カードのサイズに適合することができる。そのような装置は、携帯型コンピュータ内で格納し、充電するために、３４ｍｍのエクスプレスカードスロット内に適合することができる。同じように、異なる形状要因がまた、ワイヤレス装置と同じようにエクスプレスカード５４又はＰＣＭＣＩＡの形状要因を含むことは、認識されるべきである。さらに、装置自身は、重量において比較的軽くなることができる。例示的な装置は、２０グラム以下の重量であり、特定の実施形態において、１０グラム以下であることができる。
【００１０】
図１に図示されるように、ワイヤレス装置１００は、ハウジング１０１、マイクロフォン１０２、及びイヤホン１０４を含むことができる。スピーカー１０５は、イヤホンを通じて直接音を出すことができる。さらに、ワイヤレス装置は、例えば、コンピュータ、携帯電話、音楽プレイヤー、ＤＶＤプレイヤー、又はテレビを含むメディアプレイヤーなどのホスト装置１１０からの情報１０８を送信する、且つ受信するための送受信機１０６を含むことができる。さらに、ワイヤレス装置は、バッテリーなどの電源１１１を含むことができる。電源は、充電式電源である場合があり、又は電源は、交換可能である場合がある。例えば、電源は、受電式バッテリー又は交換可能なバッテリーを利用することができる。
【００１１】
上記に暗示されるように、ワイヤレスヘッドセットは、展開可能である場合があり、展開時に、モノラル又はステレオのワイヤレスヘッドセットとして使用されることができる第１の構成と、折り畳まれる、且つ格納されることができる第２の構成と、を有する。図２ａから図２ｆは、ワイヤレス装置２００の例示的な実施形態の様々な図を図示し、ハウジング２０１に対して折り畳まれた位置におけるスピーカー２０４を図示する。装置２００が物理的なエンベロープを有することができることは、図２ａから図２ｆの図から認識されることができる。物理的なエンベロープは、図２ｂ及び図２ｃに図示されるように長さ「Ｌ」、幅「ｗ」、及び厚さ「ｔ」、又は他の適切な寸法によって画定されることができる。
【００１２】
図３ａ及び図３ｂは、折り畳まれた状態及び展開された状態の両方におけるワイヤレス装置３００の裏面３１２を図示する。図に見られることができるように、スピーカー又はイヤホン３０４は、アーム又はブーム３１４に設けられることができ、このアーム又はブーム３１４は、ワイヤレス装置３００の側部３１２に対して垂直な面「Ｐ」を通じて、又は、面「Ｐ」内で、又はヒンジ接続部３１６によって画定された軸「Ａ−Ａ」の周りで、ワイヤレス装置３００から離隔して回転することができる。回転運動は、アーム３１４と装置３００との間でヒンジ接続によって、提供されることができる。それに応じて、イヤホンの展開によって、ワイヤレス装置の物理的なエンベロープは、少なくとも１つの寸法を変えることができる。さらに、戻り止め（detent）は、イヤホン３０４が所望される角度で位置されていると、移動に対する機械抵抗を考慮して、アームの回転を通じて様々な角度で設けられることができる。
【００１３】
ワイヤレス装置の裏面に対して垂直な面にアームの回転運動を加えて、図４ａ及び図４ｂは、さらなる実施形態を図示し、図４ａ及び図４ｂにおいて、スピーカー４０４は、アーム４１４の軸「Ｂ−Ｂ」に関して回転されることもできる。図４ａは、アームがワイヤレス装置の裏面から外側へ回転することができる場合のイヤホン４０４を図示し、図４ｂは、アームがアームの軸の周りで回転することができる場合のイヤホンを図示する。戻り止めは、アーム軸の周りにイヤホンの回転の様々な角度で、類似に設けられることができる。
【００１４】
イヤホンはまた、図５ａ及び図５ｂに図示されるように、複数の幾何学形状で設けられることができる。図５ａは、第１の幾何学形状におけるイヤホン５０４を図示し、そのイヤホン５０４は、卵形状であり、ワイヤレス装置５００のハウジング５０１より厚い。図５ｂは、第２の幾何学形状を有するイヤホン５０４を図示し、そのイヤホン５０４は、ハウジング５０１に類似の厚さを呈し、又はイヤホン５０４は、ハウジング５０１の厚さより薄い厚さを示すことができる。それに応じて、イヤホンの少なくとも１部が使用者の耳内に適合することができることは、認識されることができる。さらに、イヤホンは、使用者の耳にワイヤレス装置を保持するように利用されることができる。
【００１５】
さらに、幾何学形状にかかわらず、イヤホンは、可撓性を有し、伸張可能な材料で設けられることができ、可撓性を有し、伸張可能な材料は、弾性変形及び弾性回復を示すことができる。可撓性を有する材料は、ゴム、シリコン、熱可塑性エラストマーなどの高分子材料を含むことができる。図６ａから図６ｄは、卵形状を有するイヤホン６０４の構造を図示する。イヤホンが耳に、例えば耳珠の溝（tragus slot）内などの中に挿入されると、イヤホンが、図６ａ及び図６ｂに図示される第１の幾何学形状から、図６ｃ及び図６ｄに図示される第２の幾何学形状に変形することができる。第２の幾何学形状は、より湾曲した形状であることでき、外耳道（ear canal）に一致することができ、耳におけるイヤホンの密封性は、改善された音響特性又は耳内の改善された保持を達成される。さらに、イヤホンの断面的な幾何学形状は、イヤホンの一の端部における薄い部分６０４ａと、イヤホンの他の端部に近接して厚い部分６０４ｂと、を含むことができ、薄い部分は、耳珠の溝に収容することができる一方、厚い部分は、外耳道の残りに収容することができる。
【００１６】
イヤホンの適合の調整をさらに支援するために、図７ａ及び図７ｂは、ワイヤレス装置７００の構成を図示し、ワイヤレス装置７００のイヤホン７０４は、回動アーム７１４に設けられることができ、イヤホンは、回動アームによって画定された軸「Ｃ−Ｃ」の周りで回動することができる。図７ａは、イヤホン７０４が折り畳まれた状態、又は格納された状態であるワイヤレスヘッドセットを図示し、図７ｂは、イヤホンが展開された構成であるワイヤレスヘッドセットを図示する。
【００１７】
ワイヤレスヘッドセットにはまた、他の設計上の特徴が設けられることができる。例えば、図８は、ハウジング８０１、取り外し可能なカバー８２０、及びショルダーキャップ８２２を含んでいるワイヤレス装置８００の分解図を図示する。ワイヤレス装置、ハウジング、カバー、及びショルダーキャップは、ワイヤレス装置の上にショルダーキャップを位置し、次いでショルダーキャップの上方にカバーを配置することによって、組み立てられることができる。カバー８２０及びショルダーキャップ８２２は、カバー及び／又はショルダーの周りに配置されたスナップ嵌め、又はプレスばめ等の１つ又は複数のメカニカルファスナーによって、ハウジング８０１に保持されることができる。そのような取り外し可能なカバー及びショルダーキャップは、使用者の好み又は製造者の好みに依存して、互換性がある色彩、設計、又は形状を含んでいる複数の設計コンフィグレーションを提供することができる。ワイヤレス装置は、複数の装置によって格納され、充電されることができる。一の例において、ワイヤレス装置は、マイクロＵＳＢ又はミニＵＳＢによって直接的に充電されることができる。ＵＳＢコネクタは、ワイヤレス装置と設けられたＵＳＢとの間で連通するために、装置又はアダプタ内に挿入されることができる。図９ａ及び図９ｂは、アダプタ９２２が設けられたミニＵＳＢ９２０の使用を図示する。アダプタは、ショルダーキャップによって載置された戻り止めにおける装置のショルダーに上でスライドすることができる。ＵＳＢコネクタ９２０は、アダプタ９２２に電力を印加することができ、次いで、アダプタ上の電気的な接触部９２４及び、参照符号３２６として図３ｂに図示されたワイヤレスヘッドセットに配置された電気的な接触部を介して、ワイヤレスヘッドセット９００に電力を印加することができる。図示されるように、アダプタは、アダプタとワイヤレス装置との間の電気的な接続に対するストレス（stress）を減少することができる方法で形成されることができる。例えば、アダプタは、ワイヤレス装置の一部上にスライドする、又は留める、例えば、アダプタと装置との間のねじり運動を妨げるように、形成されることができる。
【００１８】
他の例において、クレードル（cradle）はまた、装置のために設けられることができる。図１０ａから図１０ｃは、ワイヤレス装置１０００が挿入されることができるクレードル１０２８を図示する。クレードル１０２８は、背面１０３２に配置された二重の面を持った接着剤１０３０（double sided adhesive 1030）を有することができ、該接着剤の一の側面は、クレードル１０２８に固定され、且つ接着剤の背面１０３４は、使用者が裏面を剥離するまで残り、表面に対してクレードルを固定する。表面は、ホスト装置又は他の携帯型装置の表面などの任意の表面である場合がある。クレードルには、ワイヤレス装置のために電源アダプタが設けられることができ、または、ワイヤレス装置が別個のアダプタに接続されることができる一方、クレードル内に配置されることができる。
【００１９】
装置１０００は、マグネット１０３６によってクレードルに保持されることができ、マグネット１０３６は、クレードル１０２８に埋め込まれることができる。ワイヤレス装置１０００はまた、他のマグネット、又はクレードル内のマグネットが引き付けられることができる鉄材料などの強磁性体部分１０３８を含むことができる。ワイヤレス装置はまた、クレードルにワイヤレスヘッドセットを保持する折曲可能なクリップ又は突起などの機械的手段によってクレードルに保持されることができる。
【００２０】
図１１ａから図１１ｂに図示されるように、クレードルは、ベルト、シャツのポケットに留められることができ、又は首の周りにつるすことができるホルダー１１４０を含むことができる。クリップ１１４２は、ホルダーの一体部分であることができ、または例えば、バネ式レバー（spring loaded lever）を含むことができる。また、ホルダーには、ＵＳＢプラグにワイヤレスヘッドセットを電気的に接続するために、ＵＳＢプラグを受容するためのＵＳＢアダプタなどの電源アダプタ１１４３が設けられることができる。図１１ａに図示されるように、電気的な接触部１１２４は、ワイヤレス装置の電気的な接触部（図３で図示された参照符号３２６）に係合するために、ホルダー１１４０内に設けられることができる。図１１ｂは、電力を提供する、ＵＳＢケーブルなどのケーブル１１４１を図示し、電源アダプタ１１４３にプラグ接続される。電力を伝達することに加えて、追加の接触部は、ホスト装置とワイヤレスヘッドセットとの間でデータ転送の目的のために設けられることができる。
【００２１】
他の例では、ワイヤレスヘッドセットは、クレードル内に格納され、且つ充電されることができ、クレードルをホスト装置内のスロット内に挿入されることを可能にすることができる形状要因又は構成などの、特徴を有することができる。すなわち、ワイヤレスヘッドセット自身がホスト装置内のスロットの形状要因を呈することができる。
【００２２】
図１２ａは、図７ａ及び図７ｂに示されたワイヤレスヘッドセットのためのクレードル１２４４を図示する。クレードル１２４４は、カードの形態である場合がある。カードは、ホスト装置内のスロットと係合する、又はスロット内に係合する、又は電源を供給するためのアダプタによって係合されることが可能である端部にプラグ１２４５を有することができる。図１２ｂに図示されるような、カードは、ホスト装置１２１０内に見つけられることができるスロット１２４１の形状要因を有することができる。図１２ｂに見られることができるように、クレードル１２４２の少なくとも１部の又は全体は、スロット内に挿入されることができる。ヘッドセットが充電されると、カレードル１２４４は、スロットから取り除かれることができ、装置は、カードから取り除かれることができる。クレードルは、バッテリー充電回路、充電表示器、全体として、ＶＯＩＰ機能性の一部又は全てを提供することができる通信回路及びメモリを含むことができる。
【００２３】
図１３ａ及び図１３ｂは、エクスプレスカード（ExpressCard）（登録商標）の特徴を有するクレードル１３４４を図示する。図示されるように、クレードルは、３４ｍｍの幅、７５ｍｍの長さ、及び５ｍｍの厚さであり、又は、クレードルは、５４ｍｍの幅、７５ｍｍの長さ、及び５ｍｍの厚さである。どちらの形状要因でも、付与されたホストスロットを収容するように、２６ピンプラグ又は他のプラグなどのプラグ１３４５を有することができる。クレードルは、格納又は充電、又は格納及び充電の両方のために、ホスト装置のエクスプレスカードスロット内にプラグ接続することができる。それ故に、ホスト装置は、エクスプレスカードスロットを通じて、例えばＰＣＩエクスプレス又はＵＳＢ２．０の両方の接続性をサポートすることができる。
【００２４】
クレードル１３４４は、凹部１３４６内にワイヤレスヘッドセット１３００を受容することが可能であり、充電のためにワイヤレスヘッドセットに電力を供給することが可能である。図示されるように、クレードルは、複数の電気的な接触部１３２４を含むことができ、複数の電気的接触部１３２４は、ワイヤレスヘッドセット内の電気的接触部（図３で図示された参照符号３２６）を係合することが可能である。さらに、クレードルは、部分的な底部カバー１３４８を含むことができ、部分的な底部カバー１３４８は、キャリアーがホスト装置内に挿入される、又はキャリアーがホスト装置から取り除かれる場合に、イヤホンの偶発的な買う点を妨げることができる。イヤホンの一の側部以外において、ワイヤレスヘッドセットは、凹部の残りに露出された状態で維持されることができる。他の方法の状態では、ワイヤレスヘッドセットは、カードの表面の一部を形成することができる。また、ワイヤレス装置１３００は、機械的手段を介してクレードル１３４４内に保持されることができる。例えば、保持突起１３５０は、クレードル１３４４の周りの複数の位置に設けられることができる。
【００２５】
図１４ａ及び図１４ｂは、クレードル１４４４がＰＣＭＣＩＡカード又はＰＣカードの特徴を引き受けることができる実施形態を図示し、クレードル１４４４は、ワイヤレスヘッドセット１４００を収容するようにクレードルに凹部１４４６を有する。ＰＣＭＣＩＡカードは、長さ８５．６ｍｍ、幅５４ｍｍ、厚さ５ｍｍである場合がある。ＰＣＭＣＩＡカードの端部は、プラグ１４４５を有することができ、プラグ１４４５は、６８ピン以下のピンを含むことができ、付与されたホスト装置によって要求されることができる。カードは、ホスト装置のＰＣＭＣＩＡスロット内にプラグ接続することができ、プラグはホスト装置とワイヤレス装置と間の電気的な接続を提供することができる。
【００２６】
上記のエクスプレスカードに類似して、ワイヤレスヘッドセットは、機械的突起１４５０によってＰＣＭＣＩＡクレードルの凹部内に保持されることができる。クレードルは、部分的な底部カバー１４４８を含むことができ、部分的な底部カバー１４４８は、装置１４００のイヤホン１４０４に近接して配置され、イヤホンが格納中に又は格納からの取り外し中に開いた状態で回転することを妨げる。ワイヤレスヘッドセットの残りの部分は、凹部内に露出された状態のままであり、それ故に、カード表面自体の一部を形成することができる。
【００２７】
さらに、上記のように、ワイヤレスヘッドセット自体は、カードスロットの形状要因からなり、ヘッドセット内に構築された携帯型コンピュータ又は携帯電話を係合するためのプラグを含むことができる。図１５ａ及び図１５ｂに図示されるのは、そのような装置であり、ワイヤレスヘッドセット１５００がエクスプレスカードなどのカードの形状要因で設けられることができる。ワイヤレス装置１５００は、スピーカーを有するイヤホン１５０４及びアーム１５１４を含むことができる。アームは、カード１５１２の背面からから外側に回動することができる。図示されるように、アームは、可撓性を有することができ、且つ複数の方向に回動することができる。凹部１５５２は、イヤホン１５５２及びアーム１５１４のために収納するようにカード内に設けられることができ、イヤホン１５５２及びアーム１５１４は、使用しない場合にワイヤレスヘッドセット内に保持されることができる。イヤホン及びアームの保持は、弾性回復のために、機械的手段又は材料の機能によってなされる。ワイヤレスヘッドセット１５００は、カードが格納され得る、及び／又は充電され得るプラグ１５４５によって、ホスト装置に直接的にプラグ接続されることができる。
【００２８】
図１６ａ及び図１６ｂは、第２の実施形態を図示し、ワイヤレスヘッドセット１６００がカードの形状要因で設けられている。図３に図示された装置に類似して、アーム１６１４は、ヒンジ接続部１６１６の周りで回動することができる。さらに、この実施形態において、スピーカー１６０４は、図１５ａ及び図１５ｂに図示されるように、プラグに向けて回動するよりはむしろ、カードプラグ１６４５から離隔して回動することができる。また、アーム１６１４及びスピーカー１６０４は、装置ハウジング内の凹部１６５２内に格納されることができる。準拠イヤホンアームを有するヘッドセットが、スピーカー１６０４とヘッドセットのハウジング１６０１との間に保持力を提供することができ、使用者に対するヘッドセットの保持を補助することができることは、認識されることができる。そのような保持力は、回転軸１６１６又は屈曲アーム１６１４に付与された抵抗によって提供されることができる。
【００２９】
図１７ａから図１７ｃに図示されたさらなる例において、ワイヤレス装置１７００は、ホスト装置１７１０自体に設けられることができる。図示されるようなホスト装置は、携帯電話である一方、他の装置は、形態音楽プレイヤー、ラップトップ型コンピュータなどに設けられることができる。例えば、図１７ａに図示されるように、ホスト装置１７１０は、ワイヤレス装置１７００を受容することができる凹部１７４６をホスト装置内に画定することができる。
【００３０】
図１７ｂから図１７ｃに図示される他の例において、クレードル１７４０は、ホスト装置１７１０に保持されるように設けられることができる。凹部１７４６は、ワイヤレス装置１７００を保持するために、クレードル１７４０内に画定されることができる。電力は、ホスト装置１７１０によってワイヤレス装置１７００によって供給される、又はクレードル１７４０に直接的に供給されることができ、次いで、ホスト装置の電気的な接触部１７２５及び／又はクレードル１７４０の電気的な接触部１７２４を通じてワイヤレス装置１７００に、供給されることができる。
【００３１】
他の実施形態において、図１８に図示されるように、ワイヤレス装置１８００は、クラムシェルケース（clamshell case）などのケース１８６０内に設けられることができる。ケースは、ワイヤレス装置を収容するように、ケース内に画定された凹部１８４６を有することができる。ケースは、保存型電池及び充電回路などの保存型電源装置を含むことができる。ケースは、ケース内に埋め込まれた電力を受容するために、電源アダプタ１８４３を含むことができる。電力アダプタは、ミニＵＳＢコネクタ又はマイクロＵＳＢコネクタを含むＵＳＢコネクタ、又は電力又はデータを供給することが可能である他のコネクタを受容することが可能である場合がある。それ故に、ワイヤレスヘッドセット及びケースは、ともに充電されることができ、ワイヤレスヘッドセットは、ホスト装置からのデータを受容することができる。ケースは、ヘッドセットのバッテリーが完全充電に到達した場合に、表示するための表示ライトを含むことができる。完全充電は、最高で２０時間までの通話時間を提供することができる。しかしながら、通話時間は、ワイヤレス装置内で使用されたバッテリーの種類、ホスト装置からのワイヤレス装置の範囲などの要因によって決定されることを認識しなければならない。
【００３２】
ホスト装置内のスロット又は凹部に係合しない場合に、ワイヤレスヘッドセットは、ブルートゥース、８０２．１１、ＲＦなどの様々な通信プロトコルをワイヤレスで使用するホスト装置と通信することができる。ホスト装置（すなわち、ポータブルコンピュータ又は携帯電話）は、ワイヤレス装置と通信するための送受信機を含むことができる。クレードルが使用される場合、特に、送受信機がホスト装置の一体型の機能ではない場合に、送受信機の受信機は、クレードルに組み込まれることができる。スロット内に係合される場合に、ワイヤレスヘッドセットは、コネクタ、回路、ソフトウェアを組み込むことができ、別の方法で、ＰＣＭＣＩＡ又はエクスプレスカード又はスロットの他のプロトコルを介して、ワイヤレスヘッドセットがホスト装置（すなわち、ポータブルコンピュータ又は携帯電話）と通信することを可能にするように構成されることができる。さらに、装置は、充電式のバッテリーを含み、スロット内に配置される場合に、再充電することができる。
【００３３】
他のヘッドセットタイプの装置が、本明細書で熟考されることは、認識されるべきである。例えば、ワイヤレス装置のさらなる例示的な実施形態が、携帯可能なホスト装置又は小型装置の拡張スロット内に格納し、且つ充電するワイヤレスステレオヘッドセットである。それに応じて、そのようなヘッドセットは、スピーカー及び／又はマイクロフォンを含むことができる。例えば、図１９ａ及び図１９ｂに図示されるように、ワイヤレス装置１９００は、展開時に、立体音響のために左右の耳の内側に適合することができる２つのスピーカー１９５６などの１つ又は複数のスピーカーからなることができる。スピーカー１９５６は、ペンダントに類似して使用者の胸に置くことができるハウジング１９０１に配線されることができる。ハウジング１９０１は、ＰＣカード又はエクスプレスカード５４又はエクスプレスカード３４の形状要因である。
【００３４】
図１９ｂに図示されるように、格納時に、スピーカー１９５６／配線１９５８は、ハウジング１９０１の内側に引き込まれる、又は巻き取られることができ、ユニット全体がホスト装置内で格納し、且つ充電することを可能にする。スピーカー１９５６／配線１９５８が引き込まれ、格納される場合に、ユニットは、５ｍｍ程度の厚さを測定することができ、標準的なカードスロットの他の寸法のすべてに応じる。ベースハウジングは、ワイヤレス無線（例えば、ブルートゥース、８０２．１１、ＲＦなど）及びバッテリーを含むことができる。ヘッドセットは、立体音響を流すように、ホスト装置にリンクすることができる。
【００３５】
ベースハウジングはまた、ＶＯＩＰ技術を使用するラップトップ型コンピュータと通信するためのマイクロフォン１９０２を含むことができる。ベースハウジングはまた、ＶＯＩＰソフトウェア、住所録、及び使用者識別データを提供するのに十分なメモリ１９０５を含むことができる。さらに、メモリは、音楽、文書などの任意のデータを格納するために使用されることもできる。ダイヤルパッド又はインターフェース表示器はまた、電話などの独立型の機能性を提供するために、存在していることができる。
【００３６】
上記の開示が、ポータブルコンピュータ及び携帯電話を参照する一方、この技術が、小型装置、又は配線マネージメントによって引き起こされる混乱が望ましくない卓上型装置などの他のポータブル装置に転換されることができることは、認識されるべきである。
【００３７】
先述の説明は、本発明を図示し、且つ本発明を説明するために設けられている。しかしながら、上記の説明は、本明細書に添付された請求項に記載の発明の技術的範囲を制限するために考慮されるべきではない。
【符号の説明】
【００３８】
１００  ワイヤレス装置
１０１  ハウジング
１０２  マイクロフォン
１０４  イヤホン
１０５  スピーカー
１０６  送受信機
１０８  情報
１１０  ホスト装置
２００  ワイヤレス装置
２０１  ハウジング
２０４  スピーカー
３００  ワイヤレス装置
３０４  イヤホン
３１２  裏面
３１４  アーム
３１６  ヒンジ接続部
３２６  電気的な接触部
４００  ワイヤレス装置
４０４  スピーカー
４１４  アーム
５０１  ハウジング
５０４  イヤホン
６００  ワイヤレス装置
６０１  ハウジング
６０４  イヤホン
６０４ａ  薄い部分
６０４ｂ  厚い部分
７００  ワイヤレス装置
７０１  ハウジング
７０４  イヤホン
７１４  回動アーム
８００  ワイヤレス装置
８０１  ハウジング
８２０  取り外し可能なカバー
８２２  ショルダーキャップ
９００  ワイヤレス装置
９２０  ＵＳＢコネクタ
９２２  アダプタ
９２４  電気的な接触部
１０００  ワイヤレス装置
１０２８  クレードル
１０３０  接着剤
１０３６  マグネット
１０３８  強磁性体部分
１１００  ワイヤレス装置
１１２４  電気的な接触部
１１４０  ホルダー
１１４１  ケーブル
１１４２  クリップ
１１４３  アダプタ
１２００  ワイヤレス装置
１２１０  ホスト装置
１２４４  カード
１２４５  プラグ
１３００  ワイヤレスヘッドセット
１３２４  電気的な接触部
１３４４  クレードル
１３４５  プラグ
１３４６  凹部
１３４８  底部カバー
１３５０  保持突起
１４００  ワイヤレス装置
１４０４  イヤホン
１４４４  クレードル
１４４５  プラグ
１４４６  凹部
１４４８  底部バー
１４５０  機械的突起
１５００  ワイヤレスヘッドセット
１５０４  イヤホン
１５１２  カード
１５１４  アーム
１５４５  プラグ
１５５２  凹部
１６００  ワイヤレスヘッドセット
１６０１  ハウジング
１６０４  スピーカー
１６１６  ヒンジ接続部
１６４５  カードプラグ
１６５２  凹部
１７００  ワイヤレス装置
１７１０  ホスト装置
１７２４  電気的な接触部
１７２５  電気的な接触部
１７４０  クレードル
１７４６  凹部
１８００  ワイヤレスヘッドセット
１８４３  電源アダプタ
１８４６  凹部
１８６０  ケース
１９００  ワイヤレスヘッドセット
１９０１  ハウジング
１９０２  マイクロフォン
１９０５  メモリ
１９５６  スピーカー
１９５８  配線
Ｌ  長さ
ｗ  幅
ｔ  厚さ
Ｐ  面
Ａ−Ａ  軸
Ｂ−Ｂ  軸
Ｃ−Ｃ  軸
【図１】
2010503343.tif 000003
【図２ａ】
2010503343.tif 000004
【図２ｂ】
2010503343.tif 000005
【図２ｃ】
2010503343.tif 000006
【図２ｄ】
2010503343.tif 000007
【図２ｅ】
2010503343.tif 000008
【図２ｆ】
2010503343.tif 000009
【図３ａ】
2010503343.tif 000010
【図３ｂ】
2010503343.tif 000011
【図４ａ】
2010503343.tif 000012
【図４ｂ】
2010503343.tif 000013
【図５ａ】
2010503343.tif 000014
【図５ｂ】
2010503343.tif 000015
【図６ａ】
2010503343.tif 000016
【図６ｂ】
2010503343.tif 000017
【図６ｃ】
2010503343.tif 000018
【図６ｄ】
2010503343.tif 000019
【図７ａ】
2010503343.tif 000020
【図７ｂ】
2010503343.tif 000021
【図８】
2010503343.tif 000022
【図９ａ】
2010503343.tif 000023
【図９ｂ】
2010503343.tif 000024
【図１０ａ】
2010503343.tif 000025
【図１０ｂ】
2010503343.tif 000026
【図１０ｃ】
2010503343.tif 000027
【図１１ａ】
2010503343.tif 000028
【図１１ｂ】
2010503343.tif 000029
【図１２ａ】
2010503343.tif 000030
【図１２ｂ】
2010503343.tif 000031
【図１３ａ】
2010503343.tif 000032
【図１３ｂ】
2010503343.tif 000033
【図１４ａ】
2010503343.tif 000034
【図１４ｂ】
2010503343.tif 000035
【図１５ａ】
2010503343.tif 000036
【図１５ｂ】
2010503343.tif 000037
【図１６ａ】
2010503343.tif 000038
【図１６ｂ】
2010503343.tif 000039
【図１７ａ】
2010503343.tif 000040
【図１７ｂ】
2010503343.tif 000041
【図１７ｃ】
2010503343.tif 000042
【図１８ａ】
2010503343.tif 000043
【図１８ｂ】
2010503343.tif 000044
【図１９ａ】
2010503343.tif 000045
【図１９ｂ】
2010503343.tif 000046
【国際調査報告】
2010503343.tif 000047